(57)【要約】【課題】映像データよりも高精細な解像度を有する画面に映像を付随情報と共に表示させる際の表示品質を向上させることができる映像装置を提供する。【解決手段】第１の解像度を有した映像データに基づいた第１の解像度のまま解像度を維持した映像と、第１の解像度を有する画面に適合させた付随情報映像を拡大した拡大付随情報映像と、を第１の解像度よりも高い第２の解像度を有する画面に表示させる表示制御部を備える映像装置としている。【選択図】図１
2015118203.tif 000002
【特許請求の範囲】
【請求項１】
第１の解像度を有した映像データに基づいた第１の解像度のまま解像度を維持した映像と、
第１の解像度を有する画面に適合させた付随情報映像を拡大した拡大付随情報映像と、
を第１の解像度よりも高い第２の解像度を有する画面に表示させる表示制御部を備える映像装置。
【請求項２】
前記表示制御部は、前記第１の解像度を有する画面に前記付随情報映像と共に適合させた前記映像データの映像から、前記第１の解像度のまま解像度を維持した映像への拡大率で前記付随情報映像を拡大することを特徴とする請求項１に記載の映像装置。
【請求項３】
前記拡大付随情報映像と前記第１の解像度のまま解像度を維持した映像とから成る映像の解像度が、表示部が有する解像度以下であるか否かを判定する判定部を更に備え、
前記判定部による判定結果に基づき、前記表示制御部は、前記第１の解像度のまま解像度を維持した映像と前記拡大付随情報映像を表示させることを特徴とする請求項２に記載の映像装置。
【請求項４】
前記表示制御部は、前記第１の解像度のまま解像度を維持した映像と前記拡大付随情報映像の表示領域以外の背景部分にＯＳＤ（オンスクリーンディスプレイ）画像を前記表示領域に重ならないよう表示させることを特徴とする請求項１〜請求項３のいずれか１項に記載の映像装置。
【請求項５】
前記ＯＳＤ画像は、番組情報表示用画像、音量調整用画像、外部入力切替用画像、及び音声切替用画像の少なくともいずれかであることを特徴とする請求項４に記載の映像装置。
【請求項６】
前記第１の解像度のまま解像度を維持した映像と、前記拡大付随情報映像とで、前記第２の解像度を有する画面の全体を占めることを特徴とする請求項１に記載の映像装置。
【発明の詳細な説明】
【技術分野】
【０００１】
本発明は、映像装置に関する。
【背景技術】
【０００２】
従来、フルハイビジョン（１９２０×１０８０）の解像度を有したモニタを備えるテレビ装置が知られており、更に昨今では、フルハイビジョンの解像度を超える超高精細解像度（例えば３８４０×２１６０）を有したモニタを備えるテレビ装置が登場している。
【０００３】
また、従来、地上デジタル放送などにおいては、映像音声に加えてデータ放送も放送される。従来の超高精細解像度を有したモニタを備えるテレビ装置において、フルハイビジョンの映像データに基づいて映像を表示させると共に、データ放送の映像も表示させる場合、例えばフルハイビジョンの映像に対して超高精細解像度のモニタに合わせるため縦横各２倍の拡大処理を行い、データ放送の映像以外の領域に合わせるために非整数倍の縮小処理を行う必要があった。結果的には、フルハイビジョンの映像に対して非整数倍の拡大処理が必要となっていた。
【先行技術文献】
【特許文献】
【０００４】
【特許文献１】特開２００７−１３５１５８号公報
【発明の概要】
【発明が解決しようとする課題】
【０００５】
しかしながら、上記のような非整数倍での拡大は整数倍での拡大よりも難しく、適切に処理しきれなかった場合に拡大後の映像にノイズが生じてしまう。
【０００６】
なお、例えば特許文献１には、もともと映像の表示領域でない黒帯部分に番組に関する情報を表示可能とする表示装置が開示されているが、ここでは黒帯部分を含んだ映像データの解像度とモニタの解像度は同じであることが前提であり、上記のように映像データと異なる解像度のモニタに映像を表示する場合の問題点を解決するものではない。
【０００７】
上記状況に鑑み、本発明は、映像データよりも高精細な解像度を有する画面に映像を付随情報と共に表示させる際の表示品質を向上させることができる映像装置を提供することを目的とする。
【課題を解決するための手段】
【０００８】
上記目的を達成するために本発明の映像装置は、第１の解像度を有した映像データに基づいた第１の解像度のまま解像度を維持した映像と、第１の解像度を有する画面に適合させた付随情報映像を拡大した拡大付随情報映像と、を第１の解像度よりも高い第２の解像度を有する画面に表示させる表示制御部を備える構成としている。
【０００９】
このような構成によれば、映像データの第１解像度よりも高精細な第２の解像度を有する画面に、第１の解像度のまま解像度を維持した映像を表示するので、劣化を抑えたクリアな映像を表示できる。それと共に拡大付随情報映像も表示されるので、ユーザは映像データに基づく映像と付随情報（例えばデータ放送など）を良好な表示品質で見ることができる。
【００１０】
また、上記構成において、前記表示制御部は、前記第１の解像度を有する画面に前記付随情報映像と共に適合させた前記映像データの映像から、前記第１の解像度のまま解像度を維持した映像への拡大率で前記付随情報映像を拡大することとしてもよい。
【００１１】
このような構成によれば、第１の解像度の画面に仮想的に付随情報映像と共に映像データの映像を表示させた場合の表示バランスを崩さずに第２の解像度の画面に表示させることができる。
【００１２】
また、上記構成において、前記拡大付随情報映像と前記第１の解像度のまま解像度を維持した映像とから成る映像の解像度が、表示部が有する解像度以下であるか否かを判定する判定部を更に備え、前記判定部による判定結果に基づき、前記表示制御部は、前記第１の解像度のまま解像度を維持した映像と前記拡大付随情報映像を表示させることとしてもよい。
【００１３】
このような構成によれば、拡大後の映像と、第１の解像度のまま解像度を維持した映像とから成る映像の解像度が、表示部の解像度以下であることを確認してから、表示部に表示させることができる。
【００１４】
また、上記いずれかの構成において、前記表示制御部は、前記第１の解像度のまま解像度を維持した映像と前記拡大付随情報映像の表示領域以外の背景部分にＯＳＤ（オンスクリーンディスプレイ）画像を前記表示領域に重ならないよう表示させることとしてもよい。
【００１５】
このような構成によれば、良好な表示品質で表示される第１の解像度のまま解像度を維持した映像及び拡大付随情報映像の視認の妨げとならずに、ＯＳＤ画像を表示させることができる。
【００１６】
また、上記構成において、前記ＯＳＤ画像は、番組情報表示用画像、音量調整用画像、外部入力切替用画像、及び音声切替用画像の少なくともいずれかであることとしてもよい。このような構成によれば、従来、映像データに基づく映像に重ねて表示させていたＯＳＤ画像を重ねずに表示できる。
【００１７】
また、上記構成において、前記第１の解像度のまま解像度を維持した映像と、前記拡大付随情報映像とで、前記第２の解像度を有する画面の全体を占めることとしてもよい。
【００１８】
このような構成によれば、背景部分が無くなる形で映像データに基づくクリアな映像と拡大付随情報映像を表示させることができる。
【発明の効果】
【００１９】
本発明によると、映像データよりも高精細な解像度を有する画面に映像を付随情報と共に表示させる際の表示品質を向上させることができる。
【図面の簡単な説明】
【００２０】
【図１】本発明の一実施形態に係るテレビ装置のブロック構成図である。
【図２】本発明の第１実施形態に係るドットバイドット表示方法について説明する図である。
【図３】本発明の第１実施形態に係るデータ放送表示制御に関するフローチャートである。
【図４】ドットバイドット表示の画面例を示す図である。
【図５】ドットバイドット表示の別の画面例を示す図である。
【図６】本発明の第２実施形態に係るデータ放送表示制御に関するフローチャートである。
【図７】ＯＳＤ画像の表示例を示す図である。
【図８】ＯＳＤ画像の別の表示例を示す図である。
【発明を実施するための形態】
【００２１】
＜第１実施形態＞
以下に本発明の一実施形態について図面を参照して説明する。本発明の一実施形態に係るテレビ装置のブロック構成を図１に示す。
【００２２】
図１に示すテレビ装置２０は、チューナ２と、復調部３と、分離部４と、オーディオデコーダ５と、ビデオデコーダ６と、データデコーダ７と、音声出力部８と、ＯＳＤ（オンスクリーンディスプレイ）部９と、表示部１０と、制御部１１と、リモコン受光部１２を備えている。なお、アンテナ１がチューナ２に接続される。
【００２３】
チューナ２は、例えば地上デジタル放送に対応するものであり、アンテナ１から入力された高周波の放送信号から所望のチャンネルの放送信号を選局する。
【００２４】
復調部３は、チューナ２において選局されたチャンネルの放送信号に対してデジタル復調及び誤り訂正などの処理を行い、トランスポートストリームを生成し、分離部４へ出力する。
【００２５】
分離部（デマルチプレクサ）４は、復調部３から入力されるトランスポートストリームを映像ストリーム、音声ストリーム、ＳＩ（Service Information）、データ放送のデータ等に分離する。
【００２６】
オーディオデコーダ５は、分離部４から入力される音声ストリームに対してデコードを行い、デコード後の音声データを音声出力部８に出力する。音声出力部８は、オーディオデコーダ５から入力される音声データに基づき音声を発生するものであり、スピーカ等を有している。
【００２７】
ビデオデコーダ６は、分離部４から入力される映像ストリームに対してデコードを行い、デコード後の映像データをＯＳＤ部９に出力する。
【００２８】
データデコーダ７は、分離部４から入力されるデータ放送のデータに対してデコードを行い、デコード後のデータを制御部１１に出力する。データ放送のデータは、ＢＭＬ文書とこれで運用されるデータ（画像情報や文字情報等）から成る。
【００２９】
ＯＳＤ部９は、制御部１１の指示によりＯＳＤ映像を生成し、ビデオデコーダ６からの映像をＯＳＤ映像に重畳し、重畳後の映像データを表示部１０に出力する。なお、ＯＳＤ部９は、重畳を行わずにＯＳＤ映像またはビデオデコーダ６からの映像を表示部１０に出力することもある。これにより、表示部１０には、映像がデータ放送映像と共に表示されたり、電子番組表が表示されたりする。
【００３０】
表示部１０は、例えば液晶ディスプレイで構成され、ＯＳＤ部９から入力された映像データに基づいて映像を表示する。液晶ディスプレイは、液晶パネル及びバックライトを備えている。
【００３１】
制御部１１は、マイクロプロセッサ等を備え、テレビ装置２０の各部を統括制御する制御装置である。
【００３２】
リモコン受光部１２は、リモコン装置３０から操作に応じた赤外線信号等の操作信号を受信し、受信した操作信号をリモコンコードに変換し、リモコンコードを制御部１１へ送信する。制御部１１は、送信されたリモコンコードに応じた制御動作を行う。これにより、ユーザはリモコン装置３０によってテレビ装置２０を操作することができる。
【００３３】
次に、上記のような構成であるテレビ装置２０において、放送された映像をデータ放送の映像と共に表示させる際の制御について図２も参照して説明する。ここでは、デジタル放送により送信される映像データの解像度はフルハイビジョン（１９２０×１０８０）であり、この映像データの映像をフルハイビジョンを超える解像度である超高精細解像度（３８４０×２１６０）を有した表示部１０に表示させるとする。
【００３４】
制御部１１は、データデコーダ７から入力されるデータ放送のデータに基づき、フルハイビジョンの画面に仮想的にデータ放送の映像を表示させるとした場合のデータ放送の表示領域（図２の領域Ｓ１）を決定し、上記画面における当該領域以外の領域（図２の領域Ｓ２）をフルハイビジョンの映像データの表示領域と決定する。フルハイビジョンの映像データの表示領域は、元のフルハイビジョンの映像を縮小したものとなる。
【００３５】
そして、制御部１１は、ビデオデコーダ６から出力されるフルハイビジョンの映像データの映像は解像度を維持したまま表示部１０に表示させ（図２の領域Ｓ４）、それと共に、上記フルハイビジョンの仮想的な画面における映像データの表示領域からフルハイビジョンの映像へ拡大する場合の拡大率で上記仮想的な画面におけるデータ放送表示領域を拡大した表示領域（図２の領域Ｓ３）にてデータ放送を表示部１０に表示させるよう、ＯＳＤ部９を制御する。
【００３６】
従って、超高精細解像度を有した表示部１０には、フルハイビジョンの映像データの映像がフルハイビジョンの解像度のまま表示される（所謂ドットバイドット表示）。これにより、劣化の無いクリアな映像を表示部１０に表示させることができる。それと共に、表示部１０にはデータ放送の映像が表示されるが、フルハイビジョンの仮想的な画面に映像と共にデータ放送を表示させた場合の表示バランスを崩さずにデータ放送を表示できる。
【００３７】
なお、図２に示したデータ放送の表示箇所は一例であって、例えばフルハイビジョンの映像データの映像の周囲を取り囲むようにデータ放送を表示してもよい。
【００３８】
ここで、映像データの映像と共にデータ放送を表示する場合の制御に関するフローチャートを図３に示す。図３のフローチャートは、リモコン装置３０においてデータ放送表示操作（例えば専用キーの押下げ）がされると開始される。
【００３９】
まず、ステップＳ１で、制御部１１は、実行許可フラグがオンに設定されているか否かを判定する。ここで、実行許可フラグは、例えば表示部１０に表示される設定画面からリモコン装置３０の操作によりオン・オフを設定できる。
【００４０】
もし実行許可フラグがオンとなっていれば（ステップＳ１のＹ）、ステップＳ２に進む。ステップＳ２で、制御部１１は、上述のようにフルハイビジョンの映像データの映像を表示部１０にドットバイドット表示させた場合に、当該映像と拡大後のデータ放送の映像から成る表示領域の解像度が表示部１０の解像度（即ち超高精細解像度）以下であるか否かを判定する。
【００４１】
上述のフルハイビジョンの仮想的な画面におけるデータ放送の表示領域に依っては映像データの表示領域が小さくなり、当該表示領域からフルハイジョンへの拡大率でデータ放送表示領域を拡大すると、ドットバイドット表示による映像と拡大後のデータ放送の映像から成る表示領域の解像度が表示部１０の解像度を超える場合もある。
【００４２】
表示部１０の解像度を超えない場合は（ステップＳ２のＹ）、上述の通り、制御部１１は表示部１０に映像データの映像をドットバイドット表示させた上でデータ放送も表示させるようＯＳＤ部９を制御する。
【００４３】
一方、実行許可フラグがオフの場合（ステップ１のＮ）、または上記表示領域の解像度が表示部１０の解像度を超える場合は（ステップＳ２のＮ）、ステップＳ４に進む。ステップＳ４で、制御部１１は、データ放送の表示領域に合わせて映像データの映像サイズを調整し、映像データの映像とデータ放送の映像から成る映像が表示部１０の画面全体に表示されるよう、ＯＳＤ部９を制御する。
【００４４】
例えば図４の上段には、フルハイビジョンの映像データに基づいて映像Ｖ１が表示部１０にドットバイドット表示された様子を示す。ここで、リモコン装置３０におけるデータ放送表示操作がされると、図３のフローチャートによって、フルハイビジョンの映像データの映像Ｖ２がドットバイドット表示されると共に、データ放送の映像Ｖ３も表示される（図４の下段）。
【００４５】
なお、上述のように映像をドットバイドット表示する際（データ放送も併せて表示する際も）、表示部１０の画面上に映像を表示させない領域が発生する（例えば図４の黒画面部分）。こうした領域に対しては、表示部１０が含む液晶パネルにおける液晶を黒画面表示用に暗転させた上で、表示部１０が含むバックライトの対応する領域を消灯させてもよい。
【００４６】
この場合、バックライトとしては、例えば、液晶パネルを背後から照明するＬＥＤを画面と平行である面にマトリクス状に配置させた直下型のＬＥＤバックライトを採用すればよい。そして、配置された各ＬＥＤをそれぞれ独立に駆動させて輝度を調整できる構成とする必要がある。
【００４７】
これにより、ドットバイドット表示時に消費電力の軽減を見込むことができ、コントラストを向上することもできる。
【００４８】
＜第２実施形態＞
データ放送の表示形態としては例えば図５のようにしてもよい。図５では、表示部１０の画面においてドットバイドット表示される映像Ｖ２’以外の領域を占めるようにデータ放送の映像Ｖ３’が表示される。即ち、上述したフルハイビジョンの仮想的な画面におけるデータ放送表示領域（図２のＳ１）を拡大した領域と、ドットバイドット表示領域とで表示部１０の画面全体が構成される。
【００４９】
これにより、黒背景部分を無くす形で、ドットバイドット表示されたクリアな映像とデータ放送を表示できる。
【００５０】
なお、本実施形態に係る処理のフローチャートを図６に示す。リモコン装置３０においてデータ放送表示操作（例えば専用キーの押下げ）がされると図６の処理が開始される。
【００５１】
まず、ステップＳ１１で、制御部１１は、実行許可フラグがオンに設定されているか否かを判定する。ここで、実行許可フラグは、例えば表示部１０に表示される設定画面からリモコン装置３０の操作によりオン・オフを設定できる。
【００５２】
もし実行許可フラグがオンとなっていれば（ステップＳ１１のＹ）、ステップＳ１２に進み、上述したドットバイドット表示の映像とデータ放送とで画面全体を構成する表示を行う。一方、実行許可フラグがオフであれば（ステップＳ１１のＮ）、ステップＳ１３に進み、図３のステップＳ４と同様の通常表示を行う。
【００５３】
＜第３実施形態＞
上述した実施形態のように、ドットバイドット表示させる映像と拡大後のデータ放送映像とから成る表示領域の解像度が表示部１０の解像度よりも小さくなる可能性がある（図３のステップＳ２）。この場合、ドットバイドット表示とデータ放送表示以外の領域は黒背景となる。この黒背景部分に各種情報を表示して有効活用を図ってもよい。
【００５４】
例えば図７では、ドットバイドット表示される映像Ｖ２とデータ放送の映像Ｖ３以外の領域である黒背景部分に、リモコンキーガイド４１、オンラインヘルプ４２、及びニュース欄４３の各種ＯＳＤ画像が表示される。リモコンキーガイド４１は、リモコン装置３０のキーの機能説明を表示するものである。
【００５５】
オンラインヘルプ４２は、ユーザにテレビ装置２０の操作方法を説明する表示である。リモコンキーガイド４１及びオンラインヘルプ４２は、制御部１１に予め記憶されたプログラムに従って生成されるものであり、テレビ装置２０の内部情報のみで生成される。
【００５６】
また、ニュース欄４３は、図１で不図示のネットワークインタフェースを介して外部のインターネットから取得されるニュースデータに基づいて制御部１１が生成するものである。
【００５７】
なお、リモコンキーガイド４１、オンラインヘルプ４２、及びニュース画像４３は、例えば、それぞれに対応したリモコン装置３０における各キーが操作されると表示される。また、各キーが操作されたときに、必要であればドットバイドット表示の映像とデータ放送の映像の表示位置をずらしてもよい。
【００５８】
次に、例えば図８では、ドットバイドット表示される映像Ｖ２とデータ放送の映像Ｖ３以外の領域である黒背景部分に、番組情報欄５１、音量調整バー５２、入力切替メニュー５３、及び音声切替メニュー５４の各種ＯＳＤ画像が表示される。
【００５９】
番組情報欄５１は、デジタル放送により送信されるＳＩ（Service Information）に含まれるＥＩＴ（Event Information Table）に基づいて制御部１１が生成し、例えば番組名称、番組詳細内容などを表示するものである。
【００６０】
音量調整バー５２は、リモコン装置３０の音量キー操作に応じて調整された音量の現在状態を示すインジケータを含むものである。図８では、インジケータが左右に移動する。
【００６１】
入力切替メニュー５３は、リモコン装置３０の操作によって外部入力切替えを行うためのものである。外部入力切替えによって、テレビ装置２０の外部に接続された機器（ＨＤＤレコーダ、ビデオカメラ等）からの映像を表示部１０に表示させることができる。
【００６２】
音声切替メニュー５４は、リモコン装置３０の操作によって放送音声の主音声・副音声を切替えるためのものである。これにより、例えば母国語音声と外国語音声を切替えることができる。
【００６３】
このような番組情報欄５１、音量調整バー５２、入力切替メニュー５３、及び音声切替メニュー５４は、それぞれリモコン装置３０の対応する各キーの操作に応じて表示されるが、従来はこれらのＯＳＤ画像は放送映像に重ねて表示されていた。本実施形態では、ドットバイドット表示された映像とデータ放送の映像以外の黒背景部分に自動的にこれらの画像を表示させる。これにより、ドットバイドット表示によりクリアに表示された映像の視認の妨げとならずに各種ＯＳＤ画像を表示させることができる。
【００６４】
＜その他について＞
以上、本発明の実施形態について説明したが、本発明の趣旨の範囲内であれば、実施形態は種々の変更が可能である。
【００６５】
例えば、上述したデータ放送の表示方法については、放送番組に関連する情報をインターネット通信によって取得して表示させることが可能な放送通信連携サービスである所謂ハイブリッドキャスト（Hybridcast：登録商標）におけるインターネット通信によって取得した情報の表示に適用してもよい。
【００６６】
また、本発明の映像装置としてはテレビ装置に限らず、例えば、外部の表示装置と接続可能なＨＤＤレコーダやブルーレイディスクレコーダに適用としてもよい。この場合、例えば、映像装置と表示装置はＨＤＭＩ（High-Definition Multimedia Interface）ケーブルによって接続可能であり、ＨＤＭＩ（登録商標）通信によって映像音声と制御信号の通信を行えるようにすればよい。そして、映像装置は、表示装置が有する解像度の情報を表示装置からＨＤＭＩ通信によって取得できるようにするとよい。
【００６７】
また、以上説明した実施形態における黒背景部分については、これに限らず、例えばブルーバックなどとしてもよい。
【符号の説明】
【００６８】
１  アンテナ
２  チューナ
３  復調部
４  分離部
５  オーディオデコーダ
６  ビデオデコーダ
７  データデコーダ
８  音声出力部
９  ＯＳＤ部
１０  表示部
１１  制御部
１２  リモコン受光部
２０  テレビ装置
３０  リモコン装置
【図１】
2015118203.tif 000003
【図２】
2015118203.tif 000004
【図３】
2015118203.tif 000005
【図４】
2015118203.tif 000006
【図５】
2015118203.tif 000007
【図６】
2015118203.tif 000008
【図７】
2015118203.tif 000009
【図８】
2015118203.tif 000010